(57)【要約】      （修正有）【課題】雌雄カギホックを構成する下座金のホルダ装填作業を効率のよい収容カートリッジを提供する。【解決手段】雌雄カギホック１を構成する下座金１１を打付け機に供給するために使用する下座金の収容カートリッジ２である。前記下座金１１を多数積層して収容する筒状体２１と、前記筒状体２１の少なくとも下端部付近を着脱自在に仮止めするストッパ３とからなる。前記ストッパ３は、つまみ部３１と、つまみ部から延びる２本のバネ脚部３２から構成し、前記筒状体２１にはこのバネ脚部を受け入れるスリット２２を設けている。【選択図】図１
2010090510.tif 000002
【特許請求の範囲】
【請求項１】
雌雄カギホック（１，１Ａ）を構成する下座金（１１，１１Ａ）を打付け機に供給するために使用する下座金の収容カートリッジ（２，２Ａ）であって、
前記下座金（１１，１１Ａ）を多数積層して収容する筒状体（２１，２１Ａ）と、
前記筒状体（２１，２１Ａ）の少なくとも下端部付近を着脱自在に仮止めするストッパ（３，３Ａ）
とからなることを特徴とする下座金の収容カートリッジ。
【請求項２】
前記筒状体（２１，２１Ａ）が透明のブラスチック素材により形成されている請求項１記載のカートリッジ。
【請求項３】
前記筒状体（２１，２１Ａ）の上端部付近にも着脱自在に前記ストッパ（３，３Ａ）を設けた請求項１又は２記載のカートリッジ。
【請求項４】
前記ストッパ（３，３Ａ）は、つまみ部（３１，３１Ａ）と、つまみ部から延びる２本のバネ脚部（３２，３２Ａ）から構成し、前記筒状体（２１，２１Ａ）にはこのバネ脚部を受け入れるスリット（２２，２２Ａ）を設けた請求項１〜３のいずれかに記載のカートリッジ。
【発明の詳細な説明】
【技術分野】
【０００１】
本発明は、衣服の開口部を開閉するための雌雄カギホックを該開口部に取り付ける打付け機に関し、特に雌雄カギホックを構成する下座金を該打付け機に供給するために使用する下座金の収容カートリッジに関する。
【背景技術】
【０００２】
雌雄カギホックは、下座金に布生地を介して雌体及び雄体を取り付けることで構成されている。本願明細書に添付の図２は雌カギホックを示し、図９は雄カギホックを示している。
【０００３】
雌雄カギホックを衣服の開口部に取り付ける打付け機としては、例えば下記するような特許文献１，２の技術が公知である。以下の説明では、打付け機自体の詳細な構造や機能の説明を省略しているので、それらについてはこれらの文献を参照されたい。
【特許文献１】実公平７−５４２５４号
【特許文献２】特開平７−９０７０８号
【０００４】
このような従来の打付け機において、下座金は筒状の第１のホルダから、雌体／雄体は皿状の第２のホルダから別々に供給され、打付け機の前面中央部で布生地と共に打付けられて、強固に結合される。
【０００５】
第１のホルダは、前記特許文献１では符号５１で示される中空の四角柱である。この中に多数の下座金が重ねて装填されており、１枚ずつ取り出され、押出し部材により、結合地点まで押し出される。
【発明の開示】
【発明が解決しようとする課題】
【０００６】
従来、この下座金をホルダに装填するには、作業員が下座金を１枚１枚重ねて糸で仮綴じをした上で、ホルダに詰め込んでいた。ホルダには数百枚の下座金が装填可能であるので、この詰め込み作業は時間と手間がかかり、衣服縫製の効率を著しく落とすものであった。
【０００７】
本発明は、この下座金のホルダ装填作業を効率のよいものとすることを目的とする。
【課題を解決するための手段】
【０００８】
本発明は、雌雄カギホックを構成する下座金を打付け機に供給するために使用する下座金の収容カートリッジであって、この下座金を多数積層して収容する筒状体と、この筒状体の少なくとも下端部付近を着脱自在に仮止めするストッパとからなることを特徴とする。
【発明の効果】
【０００９】
本発明では、下座金はカートリッジに予め収容されている。そのため、縫製メーカーが下座金を現場でホルダに詰め込むような作業は必要がなくなり、カギホックのメーカーがカートリッジに下座金を収容した形で納品することができる。その結果、作業効率が格段に向上する。
【発明を実施するための最良の形態】
【００１０】
筒状体は長さが約４０〜６０ｃｍであり、中身の下座金の量が目視できるように透明のブラスチック素材により形成するのが好ましい。筒状体は、雄カギホックと雌カギホック用に２種類用意する必要がある。雄カギホック用は断面がほぼ野球のベース型であり、雌カギホックは断面がほぼ長方形である。数百枚の下座金は相当の重量となるので、それを支える程度の強度は必要である。
【００１１】
カートリッジの下端部を仮止めするストッパは下端部付近に着脱自在に取り付けられている。下端部のストッパは、なるべく最下端近く、好ましくは下座金１枚分の厚みを残して取り付けられる。
【００１２】
ストッパは、全体がウマの蹄のような形状の薄板であり、プラスチック又は金属により製作する。
【００１３】
このストッパは、つまみ部と、つまみ部から延びる２本のバネ脚部から構成することが好ましい。一方筒状体にはこのバネ脚部を受け入れるスリットを設けるのが好ましい。このストッパをつけたまま運搬と打付け機への装填を行い、稼働に先だってストッパを指で引き抜く。
【００１４】
ストッパは、筒状体の下端部付近だけでなく、上端部付近においても取り付ける方が運搬時に便利である。ただし、上端部付近は本発明で使用するストッパでなくても、何か（例えば、詰め綿）を詰めておけば運搬には支障がないので、本発明にとって必須ではない。
【００１５】
このカートリッジは、使い捨てをすることができる。しかし、縫製メーカーの側で人員や時間に余裕があれば、使用済みのカートリッジにカギホックを再充填して使用することも可能である。この場合でも、カートリッジへの再充填は、下座金を現場でホルダに詰め込むような作業に比べればはるかに楽な作業になるはずである。
【００１６】
以下、添付の図面に基づいて、本発明の実施例を説明する。
【実施例１】
【００１７】
図１は、雌カギホック１のホルダに装填するために使用するカートリッジ２とその付属品の斜視図である。この図から明らかなように、該カートリッジ２は、横断面がほぼ長方形で、上下が開放された中空の透明四角柱２１を有する。上下端部付近で、後記するストッパ３で仮止めされている。長さは約４０〜６０ｃｍである。
【００１８】
このカートリッジ２の中に、図２で示すような雌カギホック１の下座金１１が予め多数積層されている。このカートリッジ２は、下座金用の第１のホルダ４の中に差し込まれる。下座金１１は、カートリッジ２の最下部から１枚ずつ取り出され、押出し部材５により、結合地点まで押し出される。
【００１９】
一方、布生地Ｆを介して結合される雌体１２は、図３に示すような雌体用の第２のホルダ６からホッパー６１を介して別途供給され、結合地点まで押し出される。
【００２０】
両者は、打付け機の前面中央部で布生地Ｆと共に打ち付けられて、強固に結合される。このとき、雌体１２の脚部１２１が下座金１１にかしめられる。
【００２１】
カートリッジ２の上下端部を仮止めするストッパ３が下端部及び上端部付近にそれぞれ１枚ずつ、着脱自在に取り付けられている。下端部のストッパは、なるべく最下端近く、好ましくは下座金１枚分の厚みを残して取り付けられる。
【００２２】
ストッパ３は、全体がウマの蹄のような形状の薄板であり、プラスチック又は金属により製作する。
【００２３】
図１、図３〜７に示すように、このストッパ３は、半円状のつまみ部３１と、つまみ部から延びる２本の脚部３２を有する。脚部は、それぞれつまみ部の両端に続く中間部３２１と、中間部に続く末端部３２２からなる。図４（ａ）に示すように、取付け時には、つまみ部３１と末端部３２２がカートリッジ筒２１の外に突出し、中間部３２１がカートリッジ筒２１の中に位置する。この実施例では、中間部３２１はつまみ部３１よりも幅方向に拡張しており、中間部３２１と末端部３２２の間にくびれ３２３が設けられている。
【００２４】
２本の脚部３２はバネ性を有しており、互いに近づける方向に押すと、それを押し戻そうとする力が働く。
【００２５】
一方、図４に示すように、カートリッジ筒２１側には、このストッパの脚部３２を受け入れる水平スリット２２（２２ａ〜２２ｄ）が設けられている。スリットはストッパ１つごとに４カ所設けられていて、断面長方形の長辺それぞれに２つずつ設けられている。第１，第２スリット２２ａ，２２ｂは、中間部３２１までストッパ脚部３２を受け入れ、第３，第４スリット２２ｃ，２２ｄは、末端部３２２のみストッパ脚部３２を受け入れる。
【００２６】
図５に示すように、ストッパ３は、スリット２２により強制的に２つの脚部３２が近づく方向にバネ付勢されているので、この付勢力に抗して脚部３２を差し込めば、簡単に抜け落ちることはない。その結果、図６，図７に示すように、このストッパ３により、雌カギホックの下座金は上下が仮止めされる。稼働に先立って作業員が力を加えてストッパ３を引き抜けば、雌カギホックの下座金１１は自重により所定の位置に落下する。
【００２７】
カートリッジ筒２１に下座金１１を装填するのはカギホックのメーカー側で機械又は作業員が行うが、縫製業者が打付け機のホルダに直接装填するのに比べれば、はるかに容易な作業である。縫製業者にとっては、購入したカートリッジ２を打付け機のホルダに差し込むだけでよい。
【実施例２】
【００２８】
以上、雌カギホック１について説明してきたが、雄カギホック１Ａについてもほぼ同じことがいえる。
【００２９】
図８は、雄カギホック１Ａのホルダに装填するために使用するカートリッジ２Ａとその付属品の斜視図である。この図から明らかなように、該カートリッジ２Ａは、上下が開放されたベース型透明中空柱を有する。上下端部付近を、後記するストッパ３Ａで仮止めしている。長さは約４０〜６０ｃｍである。
【００３０】
このカートリッジ筒２１Ａの中に、図９で示すような雄カギホック１Ａの下座金１１Ａが予め多数積層されている。このカートリッジ２Ａは、下座金用の第１のホルダ３Ａの中に差し込まれる。下座金１１Ａは、カートリッジ２Ａの最下部から１枚ずつ取り出され、押し出し部材５Ａにより、結合地点まで押し出される。
【００３１】
一方、布生地Ｆを介して結合される雄体１２Ａは、図１０に示すような雄体用の第２のホルダ６Ａからホッパー６１Ａを介して別途供給され、結合地点まで押し出される。
【００３２】
両者は、打付け機の前面中央部で布生地と共に打ち付けにより、強固に結合される。このとき、雄体１２Ａの脚部１２１Ａが下座金１１Ａにかしめられる。
【００３３】
カートリッジ筒２１Ａの上下端部を仮止めするストッパ３Ａについて述べると、全体は、ウマの蹄のような形状の薄板であり、プラスチック又は金属により製作する。
【００３４】
図８、図１１〜１４に示すように、このストッパ３Ａは、半円状のつまみ部３１Ａと、つまみ部から延びる２本の脚部３２Ａを有する。脚部は、それぞれつまみ部の両端に続く中間部３２１Ａと、中間部に続く末端部３２２Ａからなる。図８、図１１（ａ）、図１２に示すように、取付け時には、つまみ部３１Ａと末端部３２２Ａがカートリッジ筒２１Ａの外に突出し、中間部３２１Ａがカートリッジ筒２１Ａの中に位置する。この実施例では、中間部３２１Ａには外方に向かって突起３２４が設けられており、中間部３２１Ａと末端部３２２Ａの間にくびれ３２３Ａが設けられている。
【００３５】
２本の脚部３２Ａはバネ性を有しており、互いに近づける方向に押すと、それを押し戻そうとする力が働く。
【００３６】
一方、図８、図１１に示すように、カートリッジ側には、このストッパの脚部を受け入れる水平スリット２２Ａが設けられている。スリットはストッパ１つごとに６カ所設けられていて、野球のホームベースにたとえると、先細りの部分に２カ所（第１，第２スリット２２Ａａ，２２Ａｂ）、側面に２カ所（第３，第４スリット２２Ａｃ，２２Ａｄ）、前面に２カ所（第５，第６スリット２２Ａｅ，２２Ａｆ）設けられている。第１，第２スリット２２Ａａ，２２Ａｂは、中間部３２１Ａまでストッパ脚部を受け入れ、第３，第４スリット２２Ａｃ，２２Ａｄは、ストッパ中間部の突起３２４のみを受け入れ、第５，第６スリット２２Ａｅ，２２Ａｆは、末端部３２２Ａのみストッパ脚部を受け入れる。
【００３７】
図１２に示すように、ストッパ３Ａは、スリット２２により強制的に２つの脚部３２Ａが近づく方向にバネ付勢されているので、この付勢力に抗して脚部３２を差し込めば、簡単に抜け落ちることはない。その結果、図１３，図１４に示すように、このストッパにより、雄カギホックの下座金１１Ａは上下が仮止めされる。稼働に先立って作業員が力を加えてストッパ３Ａを引き抜けば、雄カギホックの下座金１１Ａは自重により所定の位置に落下する。
【図面の簡単な説明】
【００３８】
【図１】実施例１のカートリッジの斜視図である。
【図２】雌カギホックの、（ａ）取付前、（ｂ）取付後の斜視図である。
【図３】実施例１の打付け機の要部を示す斜視図である。
【図４】実施例１のカートリッジの、（ａ）平面図、（ｂ）側面図、（ｃ）正面図、（ｄ）背面図である。
【図５】実施例１のカートリッジの横断面図である。
【図６】実施例１のカートリッジの縦断面図である。
【図７】実施例１のカートリッジの縦断面図である。
【図８】実施例２のカートリッジの斜視図である。
【図９】雄カギホックの、（ａ）取付前、（ｂ）取付後の斜視図である。
【図１０】実施例２の打付け機の要部を示す斜視図である。
【図１１】実施例２のカートリッジの、（ａ）平面図、（ｂ）側面図、（ｃ）正面図、（ｄ）背面図である。
【図１２】実施例２のカートリッジの横断面図である。
【図１３】実施例２のカートリッジの縦断面図である。
【図１４】実施例２のカートリッジの縦断面図である。
【符号の説明】
【００３９】
１     雌カギホック
１１   雌カギホックの下座金
１２   雌カギホックの雌体
１Ａ   雄カギホック
１１Ａ   雄カギホックの下座金
１２Ａ  雄カギホックの雄体
２，２Ａ      カートリッジ
２１，２１Ａ  カートリッジ筒
３，３Ａ      ストッパ
３１，３１Ａ  つまみ部
３２，３２Ａ  ストッパ脚部
４，４Ａ      下座金用ホルダ
５，５Ａ      押出し部材
６，６Ａ      ホルダ
６１，６１Ａ  ホッパー
Ｆ     布生地
【図１】
2010090510.tif 000003
【図２】
2010090510.tif 000004
【図３】
2010090510.tif 000005
【図４】
2010090510.tif 000006
【図５】
2010090510.tif 000007
【図６】
2010090510.tif 000008
【図７】
2010090510.tif 000009
【図８】
2010090510.tif 000010
【図９】
2010090510.tif 000011
【図１０】
2010090510.tif 000012
【図１１】
2010090510.tif 000013
【図１２】
2010090510.tif 000014
【図１３】
2010090510.tif 000015
【図１４】
2010090510.tif 000016